(57)【特許請求の範囲】
【請求項１】
長尺状の主材と、その主材の両端部に端部金具が取り付けられてなる幅木であって、上記端部金具の少なくとも一方は、その上端部と下端部の２個所で上記主材の端部に取り付けられていて、その上端部は取り外し可能であるとともにその上端部を取り外したときにその下端部を支点として回動可能であり、かつ、斜面を有する形状の鋼板からなる補助ガイドを上記端部金具又は上記主材に有することを特徴とする幅木。
【請求項２】
前記端部金具の少なくとも一方は回動保持部材によって前記主材の端部に対して回動可能に取り付けられていることを特徴とする請求項１に記載の幅木。
【請求項３】
前記端部金具の少なくとも一方は、取り外し機能を有する操作部を操作することによって前記主材の端部から取り外し可能であることを特徴とする請求項１又は２に記載の幅木。
【請求項４】
長尺状の主材と、その主材の両端部に連結金具を介して端部金具が取り付けられてなる幅木であって、上記連結金具の少なくとも一方は、その上端部と下端部の２個所で上記主材の端部に取り付けられていて、その上端部は取り外し可能であるとともにその上端部を取り外したときにその下端部を支点として回動可能であり、かつ、斜面を有する形状の鋼板からなる補助ガイドを上記連結金具又は上記主材に有することを特徴とする幅木。
【請求項５】
前記連結金具の少なくとも一方は回動保持部材によって前記主材の端部に対して回動可能に取り付けられていることを特徴とする請求項４に記載の幅木。
【請求項６】
前記連結金具の少なくとも一方は操作部を操作することによって前記主材の端部から取り外し可能であることを特徴とする請求項４又は５に記載の幅木。
【請求項７】
長尺状の主材と、その主材の一端部には連結金具を介して端部金具が取り付けられ、他端部には直接に端部金具が取り付けられてなる幅木であって、
上記連結金具は、その上端部と下端部の２個所で上記主材の端部に取り付けられていて、その上端部は取り外し可能であるとともにその上端部を取り外したときにその下端部を支点として回動可能であり、かつ、斜面を有する形状の鋼板からなる補助ガイドを上記連結金具又は上記主材に有することを特徴とする幅木。
【請求項８】
前記連結金具の少なくとも一方は回動保持部材によって前記主材の端部に対して回動可能に取り付けられていることを特徴とする請求項７に記載の幅木。
【請求項９】
前記連結金具の少なくとも一方は操作部を操作することによって前記主材の端部から取り外し可能であることを特徴とする請求項７又は８に記載の幅木。
【請求項１０】
前記端部金具はいずれも枠組足場を構成する横桟又は腕木材に係止可能な形状を有することを特徴とする請求項１から９までのいずれかに記載の幅木。
【請求項１１】
枠組足場を構成する床付き布枠に向けて突出する突出材が前記主材の下部に取り付けられていることを特徴とする請求項１から１０までのいずれかに記載の幅木。
【請求項１２】
前記突出材は前記主材に対して回動可能に取り付けられていることを特徴とする請求項１１に記載の幅木。
【請求項１３】
枠組足場を構成する床付き布枠に向けて突出する突出部が前記主材の下部に形成されていることを特徴とする請求項１から１０までのいずれかに記載の幅木。
【請求項１４】
前記端部金具の下端部はいずれも、床付き布枠の掴み金具を収容可能な略Ｕ字形状であることを特徴とする請求項１から１３までのいずれかに記載の幅木。
【請求項１５】
請求項１から１４までのいずれかに記載の幅木を備えてなる枠組足場。
【発明の詳細な説明】
【技術分野】
【０００１】
本発明は、建築現場等において用いられる幅木および枠組足場に関する。
【背景技術】
【０００２】
建築現場等で用いられる枠組足場には、例えば、建枠に筋違（すじかい）や手摺枠を取り付けてなる「建枠式足場」と、支柱部材やブレース材（斜材ともいう。）や手摺部材等の足場構成部材を緊結して組み立ててなる「緊結式足場」がある。
【０００３】
「建枠式足場」は、通常、横桟と縦柱から構成されるＨ形状や鳥居形状の建枠を複数個組み立てることによって形成される。すなわち、建枠の複数個を、所定の間隔で建物等の構造物とは直角に立設し、隣接する建枠の縦柱の間に筋違や手摺枠を取り付け固定して複数個の建枠を自立させた後、隣接する建枠の横桟の間に床付き布枠（布板ともいう。）を１枚又は２枚以上架け渡すことで、１単位の足場を形成する。次に、既に立設した建枠の上に、別途用意された建枠を立設し、同様にして筋違や手摺枠を隣接する建枠の間に取り付け固定した後、新たに立設した建枠の横桟の上に床付き布枠を１枚又は２枚以上架け渡すことによって一つ上の段の足場を形成する。これを順次繰り返すことによって、全体の枠組み足場を形成する。
【０００４】
この建枠として、鳥居形状の建枠（以下、「鳥居枠」という。）を用いて枠組足場を形成する一例を、図１に示す。(a)が正面図、(b)が右側面図である。
【０００５】
まず３個の鳥居枠４を建物１４とは直角に等間隔に並べ、隣接する鳥居枠４との間に、建物とは反対側に筋違１３をロック金具８ｂに取り付け、そして建物側にも筋違１３をロック金具８ａに取り付けて、１段目の鳥居枠４を自立させることによって、１段目の足場を形成する。その後、１段目の隣接する鳥居枠４の上部の横桟３の間に２段目の足場板となる床付き布枠１１を架け渡した後、既に立設した１段目の鳥居枠４の縦柱２の上に、別途用意した鳥居枠４の縦柱２の下部を載置し、固定ピン（図示せず）で固定することによって、２段目の鳥居枠４を立設する。その後、１段目と同様にして、建物とは反対側に筋違１３をロック金具８ｂに取り付け、そして、建物側にも筋違１３をロック金具８ａに取り付けて、２段目の鳥居枠４を自立させることによって、２段目の足場を形成する。その後、２段目の隣接する鳥居枠４の上部の横桟３の間に３段目の足場板となる床付き布枠１１を架け渡した後、既に立設した２段目の鳥居枠４の縦柱２の上に、別途用意した鳥居枠４の縦柱２の下部を載置し、固定ピン（図示せず）で固定することによって、３段目の鳥居枠４を立設する。その後、２段目と同様にして、建物とは反対側に筋違１３をロック金具８ｂに取り付け、そして、建物側にも筋違１３をロック金具８ａに取り付けて、３段目の鳥居枠４を自立させることによって、３段目の足場を形成する。このようにして、必要な段数になるまで枠組足場を形成する。
【０００６】
なお、ここでは筋違を用いることによって各段の枠組を自立させる手順を説明したが、筋違の一部を手摺枠に置き換えて各段の枠組を自立させてもよい。
【０００７】
また、建枠を用いる他の例として、Ｈ形状の建枠（以下、「Ｈ枠」という。）を用いて枠組足場を形成する１例を、図２に示す。(a)が正面図、(b)が右側面図である。
【０００８】
３個のＨ枠１を建物１４とは直角に等間隔に並べ、隣接するＨ枠の間に、建物とは反対側に手摺枠１０をロック金具６ｂに取り付けて、１段目のＨ枠１を自立させる。さらに、建物とは反対側に手摺枠１０をロック金具７ｂに取り付け、そして建物側の筋違（斜材）１３をロック金具７ａに取り付けて固定する。その後、１段目の隣接するＨ枠１の横桟３の間に床付き布枠１１を架け渡して、１段目の足場を形成する。次に、既に立設した１段目のＨ枠１の縦柱２の上に、別途用意したＨ枠１の縦柱２の下部を載置し、固定ピン（図示せず）で固定することによって、２段目のＨ枠１を立設する。その後、１段目と同様にして、建物とは反対側に手摺枠１０をロック金具６ｂと７ｂに取り付け、そして、建物側に筋違１３をロック金具７ａに取り付けて固定し、その後、２段目のＨ枠１の横桟３に床付き布枠１１を架け渡して、２段目の足場を形成する。３段目の足場も、２段目の足場と同じ手順で組み立てる。すなわち、建物とは反対側に手摺枠１０を取り付け、そして、建物側に筋違１３を取り付けて固定し、その後、３段目のＨ枠１の横桟３に床付き布枠１１を架け渡して、３段目の足場を形成する。このようにして、必要な段数になるまで枠組足場を形成する。
【０００９】
なお、ここでは手摺枠と筋違を用いることによって各段の枠組を自立させる手順を説明したが、手摺枠を用いることなく筋違だけでも枠組を自立させることができる。
【００１０】
このように枠組足場においては、隣接する建枠の縦柱の間には筋違（すじかい）又は手摺枠が設けられている。
【００１１】
一方、「緊結式足場」は、「コマ」と呼ばれる取付部材が複数個設けられた支柱部材に、手摺部材、ブレース材、腕木部材等の足場構成部材をコマを介して取り付け、そして、コマにおいて楔等によってこれらの足場構成部材を緊結した後、床付き布枠を１枚又は２枚以上架け渡すことによって、組み立てられる。
【００１２】
図３に、緊結式足場の構造の一例を示す。(a)は緊結式足場の正面図、(b)は(a)において円で示されたコマの周辺の拡大図、そして、(c)は緊結式足場の右側面図である。
【００１３】
緊結式足場は、支柱５０が建物側とその反対側に各３本が立設されている。各々の支柱５０は、複数のコマ５１を有する支柱部材５２を縦に継ぎ足すことによって形成されている。建物側の隣接する支柱５０の間には、コマ５１を介してブレース材５３が取り付けられ、また、建物とは反対側の隣接する支柱５０の間には、コマ５１を介して作業用手摺５４が取り付けられ、コマ５１において楔等で緊結される。さらに、建物側の支柱５０と建物とは反対側の支柱５０の間には、コマ５１を介して腕木材５５が取り付けられ、コマ５１において楔等で緊結され、そして、隣接する腕木材５５の間に、床付き布枠１１を架け渡すことで、１段目の足場が形成される。なお、ブレース材５３は建物とは反対側の支柱５０の間に取り付ける場合もある。
【００１４】
２段目の足場は、１段目の足場と同様にして形成される。必要に応じて、１段目の足場の支柱５０の上端に別途用意した支柱５０を縦方向に継ぎ足した上で、ブレース材５３、手摺部材１５、腕木部材２１をコマ５１を介して取り付け緊結した後、床付き布枠１１を架け渡すことによって、形成される。これを順次繰り返すことによって、複数段の緊結式足場が形成される。
【００１５】
しかしながら、図１に例示した鳥居枠からなる枠組足場においては、筋違１３と床付き布枠１１との間には大きな空間が形成されている。そのため、その空間から建築材料または工具等の物体が落下するおそれがある。また、図２に例示したＨ枠からなる枠組足場においては、建物１４と反対側の縦柱２の間は手摺枠１０が設けられているが、建物１４側には手摺枠１０が設けられていない。そのため、図２の枠組足場においても建物１４側では、筋違１３と床付き布枠１１との間には大きな空間が形成されており、その空間から建築材料または工具等の物体が落下するおそれがある。また、必ずしも手摺枠１０が設置されるとは限らず、図１と同様に、筋違１３で代用される場合がある。この場合には、図１と同様に、筋違１３と床付き布枠１１との間には大きな空間が形成されている。また、図３に示した緊結式足場においても、作業用手摺５４と床付き布枠１１との間には大きな空間が形成されている。したがって、それらの空間から建築材料または工具等の物体が落下するおそれがある。また、作業者１５が足を滑らせて、床付き布枠１１の上から転落するおそれがある。
【００１６】
そこで、このような問題を解決するために、枠組足場に幅木を設置する場合がある。図４は、横桟３の間の道路側に幅木が設置された枠組足場の一例である。この枠組足場においては、床付き布枠１１の縁に板状の幅木１６が垂直に取り付けられている。なお、枠組足場の建物側にも幅木１６が垂直に取り付けられてもよい。このように幅木１６を垂直に設置することにより、床付き布枠１１上で物体１７が転がったり、作業者１５が足を滑らしたりした場合でも、床付き布枠１１上からその物体１７が落下したり、作業者１５が転落したりすることを防止することができる。
【００１７】
ところで、図４においては幅木１６を簡略化して図示しているが、実際には、幅木１６を枠組足場に安定して固定するための金具等が設けられている（例えば、特許文献１参照）。
【００１８】
図５は、従来の幅木の一例を示す正面図（図４において作業者１５とは反対側から見た図）である。また、図６は、図５の幅木１６の左端部の拡大図であり、図７は、図５の幅木１６の拡大左側面図である。なお、図５には、幅木１６の他に、横桟３および床付き布枠１１が示されている。
【００１９】
図５に示すように、この幅木１６は、板状の主材１６ａおよびその主材１６ａの両端部に設けられる端部金具１８からなる。図５〜図７に示すように、主材１６ａの上端部および下端部には、それぞれ鉤状の屈曲部１６ｂが形成されている。端部金具１８は、主材１６ａの両面にそれぞれ固定される固定プレート１９を有する。固定プレート１９は、ボルト２０によって主材１６ａに固定されている。各固定プレート１９の下端の外側には、略円弧状の湾曲部１９ａが形成されている。また、各固定プレート１９の下端には、落下錠２１が取り付けられている。図５に示すように、端部金具１８の下端の外側の湾曲部１９ａを横桟３の上面側に係止させることにより、隣接する２つの横桟３の間に幅木１６を垂直になるように容易に取り付けることができる。また、湾曲部１９ａを横桟３の上面側に係止させた状態で落下錠２１を下方にずらすことにより、幅木１６を横桟３に容易に固定（ロック）することができる。
【先行技術文献】
【特許文献】
【００２０】
【特許文献１】特開２００６−１６９９０２号公報
【発明の概要】
【発明が解決しようとする課題】
【００２１】
しかしながら、上記の端部金具１８を有する幅木１６においても、以下のような問題がある。
【００２２】
図８および図９は、端部金具１８によって横桟３に固定された幅木１６を取り外す際の様子を示す図である。なお、図８において(a)は、端部金具１８のロック解除前の状態を示し、(b)は、ロック解除後の状態を示している。
【００２３】
図８の(a)および(b)に示すように、横桟３に固定された幅木１６を取り外す際には、まず作業者は、自分の指２２によって落下錠２１を上方にずらすことにより落下錠２１のロックを解除する。そして、落下錠２１のロックを解除した状態で幅木１６を上方に持ち上げることにより、横桟３から幅木１６を取り外すことができる。
【００２４】
ここで、上述したように、固定プレート１９は主材１６ａの両側面にそれぞれ固定されており、各固定プレート１９にはそれぞれ落下錠２１が取り付けられている。そのため、図９に示すように、幅木１６の外側（床付き布枠１１とは反対側）の落下錠２１のロックを解除する際には、作業者１５は、一方の腕を幅木１６の外側面に伸ばして作業しなければならない。この際、作業者１５は、幅木１６の外側面の落下錠２１の位置等を正確に把握するために幅木１６の外側面に身を乗り出す必要があり、バランス等を崩した場合には床付き布枠１１上から転落するおそれがある。
【００２５】
また、図９に示すように、落下錠２１は床付き布枠１１よりも下側に位置するので、落下錠２１のロックを解除するためには、作業者１５は、足元よりも下側に手を伸ばす必要がある。そのため、作業者１５はしゃがんで作業をする必要があり、作業効率が低下する。さらに、落下錠２１は複数個設ける必要があるので、枠組足場のコストが増加する。
【００２６】
本発明は、上記のような問題を解決するためになされたものであって、枠組足場における作業者の安全性および作業効率の向上ならびに枠組足場のコスト低減を可能にする幅木およびその幅木を備えた枠組足場を提供することを目的とする。
【課題を解決するための手段】
【００２７】
本発明者らは、上記のような問題点を解決するために種々の検討を重ねた。その結果、次の（ａ）〜（ｊ）に示す知見を得た。
【００２８】
（ａ）作業者の安全性を確保するためには、作業者が幅木の外側面に身を乗り出すことなく幅木を横桟または腕木材（以下、横桟等と記す。）に固定およびその解除を行うことができればよい。そのためには、落下錠等を用いることなく幅木を横桟等に固定およびその解除を行うことができる構成にすればよい。
【００２９】
（ｂ）落下錠等を用いることなく幅木を横桟等に固定およびその解除を行うためには、幅木の主材の両端に端部金具を取り付け、端部金具の少なくとも一方は、その上端部と下端部の２個所で上記主材の端部に取り付け、そのうちの１個所は端部金具を上記主材の端部に対して回動可能であるとともに、他の１個所は端部金具を上記主材の端部に取り付け可能かつ取り外し可能な構成にすればよい。
【００３０】
ここで、端部金具は、幅木の主材の両端に直接に取り付けてもよいが、連結金具を介して幅木の主材の両端に取り付けてもよい。そして、この連結金具において、そのうちの１個所はこの主材の端部に対して回動可能であり、そして、他の１個所はこの主材の端部に取り付け可能かつ取り外し可能な構成にしてもよい。換言すれば、連結金具を組み込んだ端部金具であって、この連結金具の上端部と下端部の２個所で主材の端部に取り付け、そのうちの１個所でこの主材の端部に対して回動可能であり、そして、他の１個所でこの主材の端部に取り付け可能かつ取り外し可能な機能を持たせても良い。
【００３１】
したがって、作業者は立ったまま、主材の端部に取り付けられた一方の端部金具を、回動させるだけで幅木を横桟に固定およびその解除を行うことができる。したがって、作業者が幅木の外側面に身を乗り出す必要はないし、しゃがんで作業を行う必要もないので、安全性が向上するとともに作業効率も向上する。また、落下錠等の複雑なロック機構を設ける必要が無いので、コストを低減することができる。
【００３２】
（ｃ）端部金具の少なくとも一方を、幅木の主材の端部に対して回動可能にするためには、ボルト・ナットまたはピン等からなる回動保持部材を端部金具に形成して、この端部金具を幅木の主材の端部に取り付ければよい。ここで、端部金具を幅木の主材の端部に対して回動可能にするために、回動保持部材を端部金具に形成する代わりに、回動保持部材を有する連結金具を介して端部金具を幅木の主材の端部に取り付けてもよい。言い換えれば、端部金具の一部として連結金具を組み込み、この連結金具の一端に回動保持部材を設けてもよい。
【００３３】
たとえば、幅木の主材の上端部又は下端部に貫通孔を穿ち、一方、端部金具（または端部金具の一部としての連結金具）の上端部又は下端部にも貫通孔を穿ち、両方の貫通孔をボルト・ナットまたはピン等で連結することによって、端部金具を幅木の主材に対して回動自在に取り付けることができる。
【００３４】
（ｄ）幅木を横桟又は腕木材に確実に固定するためには、端部金具はいずれも枠組足場を構成する横桟又は腕木材に係止可能な形状を有することが好ましい。
【００３５】
（ｅ）枠組足場において作業者の足場となる領域を広くするためには、幅木の主材の下部に枠組足場を構成する床付き布枠に向けて突出する突出材を取り付けるか、幅木の主材の下部に床付き布枠に向けて突出する突出部を形成することが好ましい。また、運搬時および収納時に幅木をコンパクトにするためには、上記突出材は主材に回動可能に取り付けられることが好ましい。
【００３６】
（ｆ）幅木の端部金具の下端部はいずれも、床付き布枠の端部金具を収容可能な略Ｕ字形状であることが好ましい。この場合、横桟に固定されている床付き布枠の掴み金具の両側を覆うように端部金具を横桟に固定することができる。したがって、床付き布枠の掴み金具と幅木の端部金具とを横桟の同じ位置に固定することができるので、幅木を床付き布枠に近接して設置することができる。この場合、幅木と床付き布枠との間に隙間が形成されることを防止することができるので、床付き布枠上から物体が落下することを確実に防止することができる。
【００３７】
（ｇ）端部金具（または端部金具の一部としての連結金具）が、その一端で幅木の主材の端部に対して回動可能であることに加えて、その他端で取り付け可能かつ取り外し可能となる構成は格別に限定されるものではないが、たとえば、他端に押しボタン（押しピン）を有する板バネを適用することができる。ここで、端部金具は、連結金具を介して端部金具を幅木の主材の端部に取り付け、この連結金具の一端に回動保持部材を、そして、他端にたとえば押しボタン（押しピン）を有する板バネを適用してもよい。言い換えれば、端部金具の一部として連結金具を組み込み、その連結金具の一端で幅木の主材の端部に対して回動可能であることに加えて、その他端で取り付け可能かつ取り外し可能となる構成としてもよい。
【００３８】
図１０に、押しボタンを有する板バネの一例を示す。(a)が正面図、(b)が平面図である。
【００３９】
これは、板厚０．４〜１．２ｍｍの薄鋼板を板バネ３１ｃとし、一端に固定孔２６を有し、他端に直径６〜１２ｍｍの押しボタン（押しピン）２７を設けてなるものである。
【００４０】
図１１は、この押しボタン２７を有する板バネ３１ｃを、その一端の固定孔２６においてリベット等の固定ピン３１ｄで幅木の主材３１の端部に固定した状態を示す正面図である。
【００４１】
板バネ３１ｃの一端の固定孔２６をリベット等の固定ピン３１ｄで幅木の主材３１に固定することによって、幅木の主材３１にリベット等の固定ピン３１ｄで固定された板バネ３１ｃの一端を反力点として、板バネ３１ｃの他端まで板バネ全体が幅木の主材３１と平行になるように、板バネ３１ｃの力により側方に向けて付勢される。なお、幅木の主材３１の端部には、板バネ３１ｃの他端に設けられた押しボタン２７に対応する位置に貫通孔３１ｂ（図１２参照）が穿たれている。
【００４２】
したがって、主材３１の端部に板バネ３１ｃを固定ピン３１ｄで固定した後、板バネ３１ｃの他端に設けられた押しボタン２７の頭を主材３１の側面方向に指で押すという操作をすると、押しボタン２７の設けられている板バネ部分を板バネの付勢力に抗して、主材３１の側面方向に曲げることになる。押しボタン２７の頭をさらに主材３１の側面方向に指で押し込むと、押しボタン２７の全体が幅木３０の主材３１の側面から外側に飛び出した状態になる。
【００４３】
一方、端部金具３２には、上記押しボタンに嵌合する貫通孔３２ｃを設けておく。そして、押しボタン２７の頭を主材の側面方向に指で押したまま、端部金具３２をスライドさせ、この貫通孔３２ｃの位置に上記の押しボタン２７の位置を合わせると、板バネ３１ｃの付勢力によって押しボタン２７が貫通孔３２ｃに嵌合されるので、端部金具３２を幅木の主材３１の端部に取り付けることができる。なお、端部金具の一部として連結金具を組み込み、その連結金具に上記押しボタンに嵌合する貫通孔３２ｃを設けてもよい。
【００４４】
図１２は、図１１の矢視部Ａにおける断面図（平面図）であり、この押しボタン２７を有する板バネ３１ｃを用いて、端部金具３２を幅木の主材３１の端部に取り付けるまでの操作の手順を示す。
【００４５】
すなわち、(a)は板バネ３１ａの全体が幅木の主材３１と平行になる方向に板バネの力により付勢されている状態、(b)は押しボタン２７の頭を主材３１の側面方向に指で押し込むという操作を開始した状態、(c)は押しボタン２７の全体が幅木の主材３１の側面から外側に飛び出したときに、端部金具３２をスライドさせる操作を開始した状態、そして、(d)は端部金具３２の貫通孔３２ｃの位置を押しボタンの位置に合わせて、板バネの付勢力によって押しボタン２７が貫通孔３２ｃに嵌合された状態を、それぞれ示す。この一連の操作によって、端部金具３２を幅木の主材３１の端部に取り付けることができる。
【００４６】
次に、図１０に示される板バネを用いた場合に、端部金具３２を幅木の主材３１の端部から取り外すときは、取り付けるときとは逆の操作を順に行えばよい。すなわち、端部金具３２を幅木の主材３１の端部から取り外すときは、まず、押しボタン２７の頭を主材３１の側面方向に指で押し込むという操作をして、板バネの付勢力に抗して押しボタン２７を貫通孔３２ｃに嵌合された状態から外し、次いで端部金具３２を回動させて幅木の主材３１の端部から離し、その後、押しボタン２７の頭から指を離すと、板バネの付勢力によって板バネ３１ａの全体が幅木の主材３１と平行になることで、端部金具３２が幅木の主材３１の端部から取り外された状態に戻る。
【００４７】
（ｈ）端部金具３２が、幅木の主材３１の端部に取り付け可能かつ取り外し可能となる構成としては、上記の押しボタン２７を有する板バネに代えて、押しボタンの頭が斜め切りされた押しボタン２８を有する板バネを適用してもよい。
【００４８】
（ｉ）このように、押しボタンを有する板バネを用いた場合には、端部金具３２（または連結金具３２ａ）を幅木の主材３１の端部に向けて回動させることによって、幅木の主材３１の端部に取り付けることができる。
【００４９】
図１３に、図１１に示される板バネを用いて連結金具３２ａを幅木の主材３１に取り付けた状態を示す。(a)が正面図、(b)がＢ−Ｂ矢視断面図（側面図）、(c)が(b)のうち、端部金具のみのＢ−Ｂ矢視断面図（側面図）、(d)が(b)のうち、幅木主材のみのＢ−Ｂ矢視断面図（側面図）である。
【００５０】
ところが、幅木の主材３１は、その板厚が通常０．８〜１．２ｍｍと薄く、その板幅が約１５０ｍｍ程度のものである上に、図１３(d)に見るごとく、軽量化を目的とした開放断面を設けているため、曲がりやすい。また、連結金具３２ａ（または端部金具３２）をスムーズに回動させる目的で、図１４にみるごとく、幅木主材３１の外側と連結金具３２ａの間に隙間２９を設けることもある。
【００５１】
その結果、端部金具３２を幅木の主材３１の端部に向けて回動させようとするときに、図１５にみるごとく、幅木主材３１に曲がりが生じることによって、幅木主材３１と連結金具３２ａ（または端部金具３２）とが接触するおそれがある。あるいは、連結金具３２ａ（または端部金具３２）と幅木主材３１の間に遊びがあるために、幅木主材３１と連結金具３２ａ（または端部金具３２）とが接触するおそれがある。このため、幅木主材３１の端部を押したり引いたりすることによって、接触を回避しながら連結金具３２ａ（または端部金具３２）を幅木の主材３１に取り付けるという手間がかかる。
【００５２】
図１６に、幅木主材と連結金具とが接触して、スムーズに回動できない一例を示す。(a)が正面図、(b)が(a)のＣ−Ｃ矢視断面図（側面図）を示す。
【００５３】
幅木主材３１が曲がっているため、連結金具３２ａ（または端部金具３２）が幅木主材３１に接触して、スムーズに回動できないことが判る。
【００５４】
図１７は、幅木主材に連結金具３２ａを押し込んだことを示す図である。(a)が正面図、(b)が(a)のＣ−Ｃ矢視断面図（側面図）を示す。
【００５５】
これは、図１６のように連結金具３２ａ（または端部金具３２）が幅木主材３１に接触して、スムーズに回動できないときに、作業者が幅木主材の端部を手で押したり引いたりすることによって、接触を回避しながら、連結金具３２ａ（または端部金具３２）を幅木の主材３１に取り付けることができた結果である。
【００５６】
このように、端部金具３２（または連結金具３２ａ）を幅木の主材３１の端部に向けて回動させようとする際に、スムーズに回動できないおそれがある。このとき、作業者が幅木主材の端部を手で押したり引いたりすることによって、接触を回避しながら、端部金具３２（または連結金具３２ａ）を幅木の主材３１に取り付けなければならないという手間が生じる。
【００５７】
（ｊ）この問題を解決するためには、端部金具３２（または連結金具３２ａ）を幅木の主材３１の端部に向けて回動させようとする際に、端部金具３２（または連結金具３２ａ）にあるいは幅木の主材３１の端部に、補助ガイド６０を設けておけばよいことを着想した。
【００５８】
すなわち、「端部金具（または連結金具）の少なくとも一方は、その上端部と下端部の２個所で上記主材の端部に取り付けられていて、そのうちの１個所は上記端部金具（または連結金具）を上記主材の端部に対して回動可能であり、そして、他の１個所は上記端部金具（または連結金具）を上記主材の端部に取り付け可能かつ取り外し可能であるとともに取り付けるための補助ガイドを上記端部金具（または連結金具）あるいは上記主材に有する」という構成を採用すれば、端部金具３２を（または連結金具３２ａ）幅木の主材３１の端部に向けて回動させようとする際に、スムーズに回動できることが判った。
【００５９】
補助ガイド６０は、斜面を有する形状の鋼板、たとえば、略台形又は略三角形の形状の鋼板を、端部金具３２（または連結金具３２ａ）内に約１．２〜３ｍｍの幅木主材を収納できる隙間２９を持たせて、たとえば、溶接等で接合すればよい。あるいは、略台形又は略三角形の形状の鋼板を、幅木の主材３１の端部内にたとえば、溶接等で接合すればよい。
【００６０】
このような補助ガイド６０を、端部金具３２（または連結金具３２ａ）にあるいは幅木の主材３１の端部に設けると、端部金具３２（または連結金具３２ａ）を幅木の主材３１の端部に向けて回動させようとする際に、幅木主材の曲がりや、端部金具３２（または連結金具３２ａ）との間の遊びがあっても、幅木主材は端部金具３２（または連結金具３２ａ）に接触する前に補助ガイドの斜面に接触し、その斜面に沿って動くから、スムーズに回動できることになる。
【００６１】
図１８は、補助ガイド６０を隙間２９を持たせて接合した連結金具３２ａを幅木の主材３１の端部に回動自在に取り付けた状態を示す。(a)が正面図、(b)が側面図である。
【００６２】
そして、図１９は、図１８に示された連結金具３２ａを幅木の主材３１の端部に向けて回動させたときの推移を示す。
【００６３】
図１８に示された、補助ガイド６０を隙間２９を持たせて接合した連結金具３２ａを幅木の主材３１の端部に向けて回動させると、補助ガイド６０の斜面に幅木主材３１の端が当たる。次に、連結金具３２ａをさらに回動させると、幅木主材３１の端は補助ガイド６０の斜面に沿って移動し、連結金具３２ａと補助ガイド６０の間に設けられた隙間２９に嵌ることによって、連結金具３２ａが幅木主材３１に取り付けられることになる。
【００６４】
したがって、作業者が幅木主材の端部を手で押したり引いたりすることによって、接触を回避しながら、連結金具３２ａ（または端部金具３２）を幅木の主材３１に取り付けるという手間を掛けることなく、連結金具３２ａ（または端部金具３２）を幅木の主材３１の端部に向けて回動させて、幅木主材３１の端に補助ガイド６０の斜面を当てるという操作をすることによって、連結金具３２ａ（または端部金具３２）を幅木の主材３１の端部に取り付けることができる。
【００６５】
本発明は、上記の知見に基づいて完成したものであって、その要旨は下記の(1)〜(14)の幅木および(15)の枠組足場にある。以下、総称して、本発明という。
【００６６】
(1) 長尺状の主材と、その主材の両端部に端部金具が取り付けられてなる幅木であって、上記端部金具の少なくとも一方は、その上端部と下端部の２個所で上記主材の端部に取り付けられていて、その上端部は取り外し可能であるとともにその上端部を取り外したときにその下端部を支点として回動可能であり、かつ、斜面を有する形状の鋼板からなる補助ガイドを上記端部金具又は上記主材に有することを特徴とする幅木。
【００６７】
(2) 前記端部金具の少なくとも一方は回動保持部材によって前記主材の端部に対して回動可能に取り付けられていることを特徴とする、上記(1)の幅木。
【００６８】
(3) 前記端部金具の少なくとも一方は、取り外し機能を有する操作部を操作することによって前記主材の端部から取り外し可能であることを特徴とする、上記(1)又は(2)の幅木。
【００６９】
(4) 長尺状の主材と、その主材の両端部に連結金具を介して端部金具が取り付けられてなる幅木であって、上記連結金具の少なくとも一方は、その上端部と下端部の２個所で上記主材の端部に取り付けられていて、その上端部は取り外し可能であるとともにその上端部を取り外したときにその下端部を支点として回動可能であり、かつ、斜面を有する形状の鋼板からなる補助ガイドを上記連結金具又は上記主材に有することを特徴とする幅木。
【００７０】
(5) 前記連結金具の少なくとも一方は回動保持部材によって前記主材の端部に対して回動可能に取り付けられていることを特徴とする、上記(4)の幅木。
【００７１】
(6) 前記連結金具の少なくとも一方は操作部を操作することによって前記主材の端部から取り外し可能であることを特徴とする、上記(4)又は(5)の幅木。
【００７２】
(7) 長尺状の主材と、その主材の一端部には連結金具を介して端部金具が取り付けられ、他端部には直接に端部金具が取り付けられてなる幅木であって、
上記連結金具の少なくとも一方は、その上端部と下端部の２個所で上記主材の端部に取り付けられていて、その上端部は取り外し可能であるとともにその上端部を取り外したときにその下端部を支点として回動可能であり、かつ、斜面を有する形状の鋼板からなる補助ガイドを上記連結金具又は上記主材に有することを特徴とする幅木。
【００７３】
(8) 前記連結金具の少なくとも一方は回動保持部材によって前記主材の端部に対して回動可能に取り付けられていることを特徴とする、上記(7)の幅木。
【００７４】
(9) 前記連結金具の少なくとも一方は操作部を操作することによって前記主材の端部から取り外し可能であることを特徴とする、上記(7)又は(8)の幅木。  (10) 前記端部金具はいずれも枠組足場を構成する横桟又は腕木材に係止可能な形状を有することを特徴とする、上記(1)〜(9)のいずれかの幅木。
【００７５】
(11) 枠組足場を構成する床付き布枠に向けて突出する突出材が前記主材の下部に取り付けられていることを特徴とする、上記(1)〜(10)のいずれかの幅木。
【００７６】
(12) 前記突出材は前記主材に対して回動可能に取り付けられていることを特徴とする、上記(11)の幅木。
【００７７】
(13) 枠組足場を構成する床付き布枠に向けて突出する突出部が前記主材の下部に形成されていることを特徴とする、上記(1)〜(10)のいずれかの幅木。
【００７８】
(14) 前記端部金具の下端部はいずれも、床付き布枠の掴み金具を収容可能な略Ｕ字形状であることを特徴とする、上記(1)〜(13)のいずれかの幅木。
【００７９】
(15) 上記(1)〜(10)のいずれかの幅木を備えてなる枠組足場。
【発明の効果】
【００８０】
本発明によれば、枠組足場における作業者の安全性および作業効率の向上ならびに枠組足場のコスト低減を可能にする。
【図面の簡単な説明】
【００８１】
【図１】鳥居枠を用いて枠組足場を形成する一例である。
【図２】Ｈ枠を用いて枠組足場を形成する一例である。
【図３】緊結式足場の構造の一例である。
【図４】鳥居枠からなる枠組足場に下桟を設けた場合の一例を示す斜視図である。
【図５】従来の幅木の一例を示す正面図（図４において床付き布枠と反対側から見た図）である。
【図６】図５の幅木の一端部を示す拡大図である。
【図７】図５の幅木の拡大左側面図である。
【図８】幅木を取り外す際の様子を示す図である。
【図９】幅木を取り外す際の様子を示す図である。
【図１０】押しボタンを有する板バネの一例を示す。
【図１１】押しボタンを有する板バネを幅木の主材の端部に固定した状態を示す平面図である。
【図１２】端部金具を幅木の主材の端部に取り付けるまでの操作の手順を示す。
【図１３】端部金具を幅木の主材に取り付けた状態を示す正面図である。
【図１４】幅木主材の外側と端部金具の間に隙間を設けてなる一例である。
【図１５】幅木主材の曲がりの一例である。
【図１６】幅木主材と端部金具とが接触して、スムーズに回動できない一例を示す。
【図１７】接触を回避しながら、端部金具を幅木の主材に取り付けるという作業を示す。
【図１８】補助ガイドを隙間を持たせて取り付けた端部金具を幅木の主材の端部に回動自在に取り付けた状態を示す。
【図１９】図１８に示された端部金具を幅木の主材の端部に向けて回動させたときの推移を示す。
【図２０】本発明に係る幅木が設置された枠組足場を示す斜視図である。
【図２１】図２０に示した幅木の正面図（図２０において床付き布枠からなる作業通路とは反対側から見た図）である。
【図２２】図２１の主材を示す正面図である。
【図２３】図２１の端部金具を示す正面図である。
【図２４】図２１の幅木の両端部を示す拡大正面図である。
【図２５】図２１の幅木の両端部を示す拡大平面図である。
【図２６】連結金具が幅木主材の左端部に回動自在に取り付けられた状況を示す一例である。
【図２７】図２６に示された連結金具のＣ−Ｃ矢視断面図を示し、連結金具を幅木の主材の端部に向けて回動させたときの推移を示す。
【図２８】本発明に係る連結金具の上端を主材の上部から取り外して、端部金具を回動可能な状態にする際の様子を示す平面図である。
【図２９】本発明に係る幅木を枠組足場に設置する際の様子を示す図である。
【図３０】本発明に係る幅木を枠組足場に設置する際の様子を示す図である。
【図３１】本発明に係る幅木を枠組足場に設置する際の様子を示す図である。
【図３２】本発明に係る幅木を枠組足場に設置する際の様子を示す図である。
【図３３】図２０に矢印Ａで示す部分の拡大平面図である。
【図３４】本発明に係る幅木を枠組足場から取り外す際の様子を示す図である。
【図３５】本発明に係る幅木を枠組足場から取り外す際の様子を示す図である。
【図３６】本発明に係る連結金具が幅木主材の左端部に回動自在に取り付けられた状況を示す他の例である。
【図３７】本発明に係る頭が斜め切りされている押しボタンを有する板バネの一例を示す。
【図３８】図３７に示す板バネを幅木の主材の端部に固定し、端部金具を回動自在に取り付けた状態を示す平面図である。
【図３９】図３７に示す板バネを用いて、連結金具を幅木の主材の端部に取り付けるまでの操作の手順を示す。
【図４０】本発明に係る頭が斜め切りされている押しボタンを有する板バネの一例を示す。
【図４１】図４０に示す板バネを幅木の主材の端部に固定し、端部金具を回動自在に取り付けた状態を示す平面図である。
【図４２】図４０に示す板バネを用いて、連結金具を幅木の主材の端部に取り付けるまでの操作の手順を示す。
【図４３】図３７の頭が斜め切りされた押しボタンを有する板バネを用いて、連結金具を幅木の主材の端部から取り外すときの操作の手順を示す。
【図４４】図４０の押しボタンと頭が斜め切りされた押しボタンとを有する板バネを用いて、連結金具を幅木の主材の端部から取り外すときの操作の手順を示す。
【図４５】本発明に係る台形状の補助ガイドが幅木主材の左端部に接合された一例を示す。
【図４６】本発明に係る長方形の板状の補助ガイドが幅木主材の左端部に接合された一例を示す。
【図４７】本発明に係る幅木が設置された枠組み足場を示す斜視図である。
【図４８】図４７のＡ−Ａ線拡大断面図である。
【図４９】本発明に係る端部金具の他の例を示す正面図である。
【図５０】本発明に係る端部金具のさらに他の例を示す図である。（ａ）は平面図であり、（ｂ）は正面図である。
【図５１】本発明に係る端部金具のさらに他の例を示す図である。
【図５２】本発明に係る端部金具のさらに他の例を示す図である。
【図５３】本発明に係る端部金具のさらに他の例を示す図である。
【図５４】本発明に係る連結金具の上端を主材の上部に取り付けるための構成の他の例を示す平面図である。
【図５５】本発明に係る連結金具の上端を主材の上部に取り付けるための構成のさらに他の例を示す平面図である。
【図５６】本発明に係る突出材の他の例を示す側面図である。
【図５７】本発明に係る突出材のさらに他の例を示す側面図である。
【図５８】本発明に係る突出材のさらに他の例を示す側面図である。
【図５９】本発明に係る主材の他の例を示す側面図である。
【図６０】本発明に係る主材のさらに他の例を示す側面図である。
【図６１】本発明に係る主材のさらに他の例を示す側面図である。
【図６２】本発明に係る主材のさらに他の例を示す側面図である。
【発明を実施するための形態】
【００８２】
以下、本発明の実施の形態に係る幅木および枠組足場について説明する。
【実施例１】
【００８３】
図２０は、本発明に係る幅木が設置された枠組足場を示す斜視図である。なお、図２０に示した枠組足場は、幅木３０を除いて図１および図４に示した枠組足場と同一の構成を有する。また、図２０は、枠組足場の道路側に幅木３０が設置される例を示しているが、建物側にも幅木３０が設置されてもよい。図１１は、図２０に示した幅木の正面図（図２０において床付き布枠１１が架けられた作業用通路とは反対側から見た図）である。
【００８４】
図２０および図１１に示すように、本例に係る幅木３０は、長尺状の主材３１、主材３１の一端部に設けられる端部金具３２および主材３１の他端部に設けられる端部金具３３からなる。
【００８５】
図２２は、図１１の幅木の主材３１を示す正面図であり、図２３は、図１１の端部金具３２，３３を示す正面図である。
【００８６】
図２３(a)は幅木の主材３１の左側の端部金具３２を示し、図２３(b)は幅木３０の右側の端部金具３３を示す。図２４は、図１１の幅木３０の両端部を示す拡大正面図である。
【００８７】
図２４(a)は、幅木３０の左側の端部を示し、図２４(b)は、幅木３０の右側の端部を示す。なお、図２４には、図２０の枠組足場の横桟３および床付き布枠１１が示されている。
【００８８】
図２５は、図１１の幅木３０の両端部を示す拡大平面図である。図２５(a)は、幅木３０の左側の端部を示し、図２５(b)は、幅木３０の右側の端部を示す。
【００８９】
図２２に示すように、主材３１の上端部および下端部には、図７の屈曲部１６ｂと同様の形状の屈曲部３１ａが形成されている。図２２および図２５に示すように、主材３１の正面側および背面側の四隅には、それぞれ貫通孔３１ｂが形成されている。主材３１の上側の屈曲部３１ａの一端側（左側）の内面には、板バネ３１ｃが取り付けられている。図２５に示すように、板バネ３１ｃの一端は固定ピン３１ｄによって屈曲部３１ａの内面に固定されており、他端は自由端となっている。図２２に示すように、板バネ３１ｃの他端部には操作ボタンとして押しボタン２７が取り付けられている。押しボタン２７は、主材３１の正面側の貫通孔３１ｂ内を進退可能に設けられている。なお、本例においては、操作ボタンとして押しボタン２７が、取り外し機能を有する操作部に相当する。図２３および図２５に示すように、連結金具３２ａ内には、台形状の補助ガイド６０が、たとえば、溶接により接合されている。なお、この台形状の補助ガイド６０は連結金具３２ａとの間に隙間２９を持たせて接合されている。
【００９０】
図１１、図２３および図２４に示すように、左側の端部金具３２は、連結金具３２ａおよび係止金具３２ｂからなり、右側の端部金具３３は、連結金具３３ａおよび係止金具３３ｂからなる。連結金具３２ａおよび係止金具３２ｂならびに連結金具３３ａおよび係止金具３３ｂは、たとえば、溶接により接合されている。図２５に示すように、連結金具３２ａ，３３ａおよび係止金具３２ｂ，３３ｂは、平面視において略Ｕ字状の形状を有する。連結金具３２ａは、主材３１の一端（左側の端部）に連結され、連結金具３３ａは、主材３１の他端（右側の端部）が連結される。
【００９１】
図２３(a)に示すように、連結金具３２ａの上端部および下端部には、貫通孔３２ｃが形成されており、図２３(b)に示すように、連結金具３３ａの上端部および下端部には、貫通孔３３ｃが形成されている。
【００９２】
図１１、図２３および図２４に示すように、係止金具３２ｂの下部には、下方に向かって突出する突出部３２ｄが形成されている。突出部３２ｄは、略円弧状に湾曲する湾曲部３２ｅを有する。同様に、係止金具３３ｂの下部にも、湾曲部３３ｅを有する突出部３３ｄが形成されている。なお、図１１、図２３および図２４では、端部金具３２，３３の正面側が示されているが、端部金具３２，３３の背面側にも正面側と同様に突出部３２ｄ，３３ｄが形成されている。
【００９３】
図２５および図２６に示すように、連結金具３２ａの下端は、ボルト３４およびナット３５によって主材３１の一端部の下部に回動可能に取り付けられている。そして、連結金具３２ａの上端は、押しボタン２７によって主材３１の一端部の上部に取り付けられる。具体的には、貫通孔３１ｂ（図２５参照）および貫通孔３２ｃ内に押しボタン２７が挿通されることにより、連結金具３２ａの上端は主材３１の上部に取り付けられる。
【００９４】
図２６は、本発明に係る連結金具３２ａが幅木主材３１の左端部に回動自在に取り付けられた状況を示す一例である。(a)は正面図、(b)は(a)のＣ−Ｃ矢視断面図を示す。
【００９５】
連結金具３２ａ内には、台形状の補助ガイド６０が連結金具３２ａとの間に隙間２９を持たせて、たとえば、溶接により接合されている。また、連結金具３２ａの下端は、回動自在に保持されているが、ここでは、回動保持部材として、ボルト３４およびナット３５が用いられている。
【００９６】
このような補助ガイド６０を、端部金具３２（または連結金具３２ａ）にあるいは幅木の主材３１の端部に設けると、端部金具３２（または連結金具３２ａ）を幅木の主材３１の端部に向けて回動させようとする際に、幅木主材の曲がりや、端部金具３２（または連結金具３２ａ）との間の遊びがあっても、幅木主材は端部金具３２（または連結金具３２ａ）に接触する前に補助ガイドの斜面に接触し、その斜面に沿って動くから、スムーズに回動できることになる。
【００９７】
図２７は、図２６に示された連結金具３２ａのＣ−Ｃ矢視断面図を示し、連結金具３２ａを幅木の主材３１の端部に向けて回動させたときの推移を示す。
【００９８】
図２６に示された、補助ガイド６０を隙間２９を持たせて接合した連結金具３２ａを幅木の主材３１の端部に向けて回動させると、補助ガイド６０の斜面に幅木主材３１の端が当たる。次に、連結金具３２ａをさらに回動させると、幅木主材３１の端は補助ガイド６０の斜面に沿って移動し、連結金具３２ａと補助ガイド６０の間に設けられた隙間２９に嵌ることによって、連結金具３２ａが幅木主材３１に取り付けられることになる。
【００９９】
このように、連結金具３２ａ（または端部金具３２）を幅木の主材３１の端部に向けて回動させて、幅木主材３１の端に補助ガイド６０の斜面を当てるという操作をするだけで、連結金具３２ａ（または端部金具３２）を幅木の主材３１の端部にスムーズに取り付けることができる。
【０１００】
図２８は、連結金具３２ａの上端を主材３１の上部から取り外して、連結金具３２ａを回動可能な状態にする際の様子を示す平面図である。図２８に示すように、押しボタン２７を屈曲部３１ａの内面側に押し込むことにより連結金具３２ａの上端が主材３１の上部から取り外される。それにより、図２６に示すように、ボルト３４を回転中心として連結金具３２ａを回動させることができる。
【０１０１】
なお、連結金具３２ａの下端を主材３１の一端部の下部に回動自在に取り付けるためのナット３５としては、例えば、回り止めが設けられたロックナット（ナイロンナット）等を用いることができる。また、ボルト３４およびナット３５の代わりにリベット等を端部金具３２の回動保持部材として用いてもよい。
【０１０２】
一方、図２４(b)に示すように、端部金具３３の連結金具３３ａは、上下端とも主材３１の他端部（右側端部）にボルト３４およびナット３５によって取り付けられているので回動しない。連結金具３３ａの上下端を主材３１に取り付けるためのナット３５としては、例えば、回り止めが設けられたロックナット（ナイロンナット）等を用いることができる。ボルト３４およびナット３５に加えてスプリングワッシャー等を用いてもよい。また、ボルト３４およびナット３５の代わりにリベット等によって連結金具３３ａを主材３１に取り付けてもよい。
【０１０３】
なお、幅木３０を枠組足場に設置した場合に、湾曲部３２ｅ，３３ｅ（図２４）の水平方向に対する傾斜角度α（図２４参照）は３０〜６０度であることが好ましく、略４５度であることがさらに好ましい。
【０１０４】
次に、幅木３０の設置方法および取り外し方法について説明する。図２９〜図３２は、幅木３０を枠組足場に設置する際の様子を示す図であり、図２２は、図２０に矢印Ａで示す部分の拡大平面図である。また、図３４および図３５は、幅木３０を枠組足場から取り外す際の様子を示す図である。なお、図２９〜図３２、図３４および図３５においては、枠組足場のうち横桟３および床付き布枠１１のみを簡略化して図示している。また、図２２においては、端部金具３２，３３のうち係止金具３２ｂ，３３ｂのみを図示している。
【０１０５】
まず、幅木３０を設置する場合について説明する。図２９に示すように、枠組足場の２つの横桟３の間に幅木３０を設置する際には、作業者１５は、端部金具３３の突出部３３ｄの湾曲部３３ｅを一方の横桟３に係止させる。次に、図３０および図３１に示すように、端部金具３２の上端を主材３１の上部から取り外して、端部金具３２を回動（傾斜）させて、湾曲部３２ｅを他方の横桟３に近接させる。次に、図３２に示すように、湾曲部３２ｅを横桟３に係止させた状態で突出部３２ｄの湾曲部３２ｅが横桟３の上面側および下方側の両方を覆うように端部金具３２を回動させる。これにより、端部金具３２，３３の上下方向の移動が横桟３によって規制される。最後に、押しボタン２７によって端部金具３２の上端を主材３１の上部に取り付ける。これにより、隣接する横桟３の間に幅木３０が固定され、設置作業が完了する。
【０１０６】
ここで、図２０に示すように、床付き布枠１１は掴み金具２４によって横桟３に取り付けられている。また、図２５で説明したように、端部金具３２，３３の係止金具３２ｂ，３３ｂは、平面視において略Ｕ字状の形状を有する。幅木３０を設置する際には、図２２に示すように、略Ｕ字状の係止金具３２ｂ，３３ｂ内に掴み金具２４を収容することができる。この場合、幅木３０を床付き布枠１１に近接して設置または幅木３０を床付き布枠１１上に設置することができるので、幅木３０と床付き布枠１１との間に隙間が形成されることを防止することができる。それにより、床付き布枠１１上から物体が落下することを確実に防止することができる。
【０１０７】
次に、幅木３０を取り外す場合について説明する。図３４に示すように、幅木３０を取り外す際には、作業者１５は、まず、端部金具３２の上端を主材３１の上部から取り外し、突出部３２ｄの湾曲部３２ｅが横桟３の下面側を覆わない位置まで端部金具３２を回動させる。これにより、端部金具３２の上方への移動が可能になるので、幅木３０の端部金具３２側を上方に持ち上げることができる。次に、図３５に示すように、幅木３０の端部金具３２側を持ち上げた状態で、幅木３０の端部金具３３側を引き抜く。これにより、幅木３０の取り外し作業が完了する。
【０１０８】
以上のように、本発明に係る幅木３０においては、作業者１５は、端部金具３２（または連結金具３２ａ）を主材３１に対して回動させることにより、幅木３０の設置およびその取り外しを行うことができる。したがって、作業者１５は、幅木３０の設置および取り外し作業を立ったままの状態でかつ幅木３０の外側に身を乗り出すことなく行うことができる。また、操作ボタンとしての押しボタン２７を操作することにより、端部金具３２（または連結金具３２ａ）の上端を主材３１に取り付けることおよび取り外すことができるので、作業者１５は容易に幅木３０の設置および取り外しを行うことができる。これらの結果、作業者１５の安全性および作業効率が向上する。また、本発明に係る幅木３０においては、複数個の落下錠等を設ける必要がないので、コストを低減することができる。
【実施例２】
【０１０９】
実施例２は、実施例１において用いた台形状の補助ガイド６０に代えて、ほぼ三角形状の補助ガイドを用いた点でのみ異なる。
【０１１０】
図３６は、連結金具３２ａが幅木主材３１の左端部に回動自在に取り付けられた状況を示す他の例である。(a)は正面図、(b)は(a)のＣ−Ｃ矢視断面図を示す。
【０１１１】
連結金具３２ａ内には、ほぼ三角形状の補助ガイド６０が連結金具３２ａとの間に隙間２９を持たせて、たとえば、溶接により接合されている。また、連結金具３２ａの下端は、回動自在に保持されているが、ここでは、回動保持部材として、ボルト３４およびナット３５が用いられている。
【０１１２】
このような補助ガイド６０を、端部金具３２（または連結金具３２ａ）にあるいは幅木の主材３１の端部に設けると、実施例１と同様に、端部金具３２（または連結金具３２ａ）を幅木の主材３１の端部に向けて回動させようとする際に、幅木主材の曲がりや、端部金具３２（または連結金具３２ａ）との間の遊びがあっても、幅木主材は端部金具３２（または連結金具３２ａ）に接触する前に補助ガイドの斜面に接触し、その斜面に沿って動くから、スムーズに回動できることになる。
【０１１３】
すなわち、実施例１と同様に、補助ガイド６０を隙間２９を持たせて接合した連結金具３２ａを幅木の主材３１の端部に向けて回動させると、補助ガイド６０の斜面に幅木主材３１の端が当たる。次に、連結金具３２ａをさらに回動させると、幅木主材３１の端は補助ガイド６０の斜面に沿って移動し、連結金具３２ａと補助ガイド６０の間に設けられた隙間２９に嵌ることによって、連結金具３２ａが幅木主材３１に取り付けられることになる。
【０１１４】
このように、連結金具３２ａ（または端部金具３２）を幅木の主材３１の端部に向けて回動させて、幅木主材３１の端に補助ガイド６０の斜面を当てるという操作をするだけで、連結金具３２ａ（または端部金具３２）を幅木の主材３１の端部にスムーズに取り付けることができる。
【０１１５】
したがって、実施例１と同様に、実施例２においても、作業者１５は、端部金具３２（または連結金具３２ａ）を幅木主材３１に対して回動させることにより、幅木３０の設置およびその取り外しを行うことができる。作業者１５は、幅木３０の設置および取り外し作業を立ったままの状態でかつ幅木３０の外側に身を乗り出すことなく行うことができる。また、操作ボタンとしての押しボタン２７を操作することにより、端部金具３２（または連結金具３２ａ）の上端を主材３１に取り付けることおよび取り外すことができるので、作業者１５は容易に幅木３０の設置および取り外しを行うことができる。これらの結果、作業者１５の安全性および作業効率が向上する。また、本発明に係る幅木３０においては、複数個の落下錠等を設ける必要がないので、コストを低減することができる。
【実施例３】
【０１１６】
実施例３は、実施例１において用いた押しボタン２７を有する板バネに代えて、押しボタンの頭が斜め切りされた押しボタン２８を有する板バネを用いた点でのみ異なる。
【０１１７】
図３７は、押しボタンの頭が斜め切りされた押しボタンを有する板バネを示す。(a)が正面図、(b)が平面図である。
【０１１８】
この押しボタン２８は、頭が斜め切りされている点に特徴がある。０．４〜１．２ｍｍの薄鋼板を板バネ３１ｃとし、一端に固定孔２６を有し、他端に底部直径６〜１２ｍｍであってその頭が斜め切りされた押しボタン２８を設けてなるものである。
【０１１９】
図３８は、この押しボタン２８を有する板バネ３１ｃを、その一端の固定孔においてリベット等の固定ピン３１ｄで幅木の主材３１の端部に固定し、連結金具３２ａを回動自在に取り付けた状態を示す正面図である。
【０１２０】
実施例１の板バネと同様に、板バネ３１ｃの他端まで板バネ全体が常に幅木の主材３１と平行になるように、板バネ３１ｃの力により側方に向けて付勢される。なお、幅木の主材３１の端部には、板バネ３１ｃの他端に設けられた押しボタン２８に対応する位置に貫通孔３１ｂ（図３９参照）が穿たれている。なお、連結金具３２ａを介さずに、直接に端部金具３２を幅木の主材３１の端部に取り付けてもよい。このときは、端部金具３２に上記押しボタン２８に嵌合する貫通孔３２ｃを設けることになる。
【０１２１】
連結金具３２ａ内には、台形形状の補助ガイド６０が連結金具３２ａとの間に隙間２９を持たせて、たとえば、溶接により接合されている。また、連結金具３２ａの下端は、回動自在に保持されているが、ここでは、回動保持部材として、ボルト３４およびナット３５が用いられている。
【０１２２】
連結金具３２ａの上端部を主材３１の端部方向に回動させ、もって板バネ３１ｃの他端に設けられた押しボタン２８の斜面に連結金具３２ａの縁を当てるという操作をすると、その押しボタン２８の設けられている板バネ部分が板バネの付勢力に抗して、主材３１の側方に曲がることになる。連結金具３２ａの上端部をさらに主材３１の端部方向に回動させることによって、その押しボタン２８がさらに主材３１の側面方向に押されると、押しボタン２８の全体が幅木の主材３１の側面から外側に飛び出した状態になる。
【０１２３】
一方、実施例１の板バネ方式と同様に、連結金具３２ａには、上記押しボタン２８に嵌合する貫通孔３２ｃを設けておく。そして、押しボタン２８の斜面に連結金具３２ａを当てるという操作をすることによって、その押しボタン２８の設けられている板バネ部分を、板バネの付勢力に抗して、主材３１の側方に曲げて、連結金具３２ａの貫通孔３２ｃの位置をこの押しボタン２８の位置に合わせると、板バネの付勢力によってこの押しボタン２８が貫通孔３２ｃに嵌合されるので、連結金具３２ａを幅木の主材３１の端部に取り付けることができる。
【０１２４】
図３９は、押しボタン２８を有する板バネを用いて、連結金具３２ａを幅木の主材３１の端部に取り付けるまでの操作の手順を示す。
【０１２５】
すなわち、(a)は板バネ３１ｃの全体が幅木の主材３１と平行になる方向に板バネの力により付勢されている状態であって、連結金具３２ａを回動させて連結金具３２ａを、押しボタン２８に近接させた状態を示す。(b)は連結金具３２ａをさらに回動させて、連結金具３２ａが押しボタン２８の斜面に当たっている状態であり、連結金具３２ａを回動させて、この斜面に当てるという操作をすることによって、この押しボタン２８を主材３１の側面方向に移動させることになることを示す。(c)は連結金具３２ａをさらに回動させて、連結金具３２ａを押しボタン２８の斜面を超えた状態を示し、そして、(d)は連結金具３２ａをさらに回動させて、連結金具３２ａの貫通孔３２ｃの位置に押しボタン２８の位置が合わさった状態であり、このとき、板バネの付勢力によって押しボタン２８が貫通孔３２ｃに嵌合されることを示す。このように、殊更に押しボタンの頭を主材３１の側面方向に指で押し込むという操作をしなくても、連結金具３２ａを回動させて、押しボタン２８の斜面に当てるという操作をすることによって、連結金具３２ａを幅木の主材３１の端部に取り付けることができる。
【０１２６】
また、補助ガイド６０が、連結金具３２ａに設けられているので、実施例１と同様に、連結金具３２ａを幅木の主材３１の端部に向けて回動させようとする際に、幅木主材の曲がりや、連結金具３２ａとの間の遊びがあっても、幅木主材は連結金具３２ａに接触する前に補助ガイドの斜面に接触し、その斜面に沿って動くから、スムーズに回動できることになる。
【０１２７】
すなわち、実施例１と同様に、補助ガイド６０を隙間２９を持たせて接合した連結金具３２ａを幅木の主材３１の端部に向けて回動させると、補助ガイド６０の斜面に幅木主材３１の端が当たる。次に、連結金具３２ａをさらに回動させると、幅木主材３１の端は補助ガイド６０の斜面に沿って移動し、連結金具３２ａと補助ガイド６０の間に設けられた隙間２９に嵌ることによって、連結金具３２ａが幅木主材３１に取り付けられることになる。
【０１２８】
次に、連結金具３２ａを幅木の主材３１の端部から取り外すときは、まず、押しボタン２８の頭を主材３１の側面方向に指で押し込むという操作をして、板バネの付勢力に抗して押しボタン２８を貫通孔３２ｃに嵌合された状態から外し、次いで連結金具３２ａを回動させて幅木の主材３１の端部から離し、その後、押しボタン２８から指を離すと、板バネの付勢力によって板バネ３１ｃの全体が幅木の主材３１と平行になることで、連結金具３２ａが幅木の主材３１の端部から取り外された状態に戻る。
【０１２９】
このように、連結金具３２ａを主材３１に対して回動させることにより、幅木の主材への取り付けおよびその取り外しの作業を容易に行うことができることに加えて、幅木の主材３１の端部への取り付けおよび取り外し作業を容易に行うことができる。もちろん、実施例１に示される幅木を用いる場合と同様に、作業者は、幅木３０の設置および取り外し作業を立ったままの状態でかつ幅木３０の外側に身を乗り出すことなく行うことができる。また、押しボタン２８を操作することにより、連結金具３２ａの上端を主材３１に取り付けることおよび取り外すことができるので、作業者は容易に幅木３０の設置および取り外しを行うことができる。これらの結果、作業者の安全性および作業効率が向上する。また、この幅木３０においては、複数個の落下錠等を設ける必要がないので、コストを低減することができる。
【実施例４】
【０１３０】
実施例４は、実施例３において用いた、頭が斜め切りされた押しボタン２８を有する板バネに代えて、押しボタン２７と頭が斜め切りされた押しボタン２８とを有する板バネを用いた点でのみ異なる。
【０１３１】
図４０は、押しボタン２７と頭が斜め切りされた押しボタン２８とを有する板バネを示す。(a)が正面図、(b)が平面図である。
【０１３２】
この板バネは、２つの押しボタンを有する点に特徴がある。ここでは、０．４〜１．２ｍｍの薄鋼板を板バネ３１ｃとし、一端に固定孔２６を有し、他端に押しボタン２７と頭が斜め切りされた押しボタン２８の２つを有する板バネを用いる。押しボタンの底部直径はいずれも６〜１２ｍｍである。
【０１３３】
図４１は、この押しボタン２７と頭が斜め切りされた押しボタン２８とを有する板バネ３１ｃを、その一端の固定孔においてリベット等の固定ピン３１ｄで幅木の主材３１の端部に固定し、連結金具３２ａを回動自在に取り付けた状態を示す正面図である。
【０１３４】
実施例３の板バネと同様に、板バネ３１ｃの他端まで板バネ全体が常に幅木の主材３１と平行になるように、板バネ３１ｃの力により側方に向けて付勢される。なお、幅木の主材３１の端部には、板バネ３１ｃの他端に設けられた押しボタン２８および押しボタン２７に対応する位置に貫通孔３１ｂおよび第２の貫通孔３１ｆ（図４２参照）が穿たれている。なお、連結金具３２ａを介さずに、直接に端部金具３２を幅木の主材３１の端部に取り付けてもよい。このときは、端部金具３２に上記押しボタン２８に嵌合する貫通孔３２ｃを設けることになる。
【０１３５】
連結金具３２ａ内には、台形形状の補助ガイド６０が連結金具３２ａとの間に隙間２９を持たせて、たとえば、溶接により接合されている。また、連結金具３２ａの下端は、回動自在に保持されているが、ここでは、回動保持部材として、ボルト３４およびナット３５が用いられている。
【０１３６】
連結金具３２ａの上端部を主材３１の端部方向に回動させ、もって板バネ３１ｃの他端に設けられた押しボタン２８の斜面に連結金具３２ａの縁を当てるという操作をすると、その押しボタン２８および押しボタン２７の設けられている板バネ部分が板バネの付勢力に抗して、主材３１の側方に曲がることになる。連結金具３２ａの上端部をさらに主材３１の端部方向に回動させることによって、その押しボタン２８がさらに主材３１の側面方向に押されると、押しボタン２８の全体が幅木の主材３１の側面から外側に飛び出した状態になる。
【０１３７】
一方、実施例１の板バネ方式と同様に、連結金具３２ａには、上記押しボタン２８に嵌合する貫通孔３２ｃを設けておく。そして、押しボタン２８の斜面に連結金具３２ａを当てるという操作をすることによって、その押しボタン２８の設けられている板バネ部分を、板バネの付勢力に抗して、主材３１の側方に曲げて、連結金具３２ａの貫通孔３２ｃの位置をこの押しボタン２８の位置に合わせると、板バネの付勢力によってこの押しボタン２８が貫通孔３２ｃに嵌合されるので、連結金具３２ａを幅木の主材３１の端部に取り付けることができる。
【０１３８】
図４２は、押しボタン２８を有する板バネを用いて、連結金具３２ａを幅木の主材３１の端部に取り付けるまでの操作の手順を示す。
【０１３９】
すなわち、(a)は板バネ３１ｃの全体が幅木の主材３１と平行になる方向に板バネの力により付勢されている状態であって、連結金具３２ａを回動させて連結金具３２ａを、押しボタン２８に近接させた状態を示す。(b)は連結金具３２ａをさらに回動させて、連結金具３２ａが押しボタン２８の斜面に当たっている状態であり、連結金具３２ａを回動させて、この斜面に当てるという操作をすることによって、この押しボタン２８および押しボタン２７を主材３１の側面方向に移動させることになることを示す。(c)は連結金具３２ａをさらに回動させて、連結金具３２ａを押しボタン２８の斜面を超えた状態を示し、そして、(d)は連結金具３２ａをさらに回動させて、連結金具３２ａの貫通孔３２ｃの位置に押しボタン２８の位置が合わさった状態であり、このとき、板バネの付勢力によって押しボタン２８が貫通孔３２ｃに嵌合されることを示す。このように、殊更に押しボタンの頭を主材３１の側面方向に指で押すという操作をしなくても、連結金具３２ａを回動させて、押しボタン２８の斜面に当てるという操作をすることによって、連結金具３２ａを幅木の主材３１の端部に取り付けることができる。
【０１４０】
また、補助ガイド６０が、連結金具３２ａに設けられているので、実施例１と同様に、連結金具３２ａを幅木の主材３１の端部に向けて回動させようとする際に、幅木主材の曲がりや、連結金具３２ａとの間の遊びがあっても、幅木主材は連結金具３２ａに接触する前に補助ガイドの斜面に接触し、その斜面に沿って動くから、スムーズに回動できることになる。
【０１４１】
すなわち、実施例１と同様に、補助ガイド６０を隙間２９を持たせて接合した連結金具３２ａを幅木の主材３１の端部に向けて回動させると、補助ガイド６０の斜面に幅木主材３１の端が当たる。次に、連結金具３２ａをさらに回動させると、幅木主材３１の端は補助ガイド６０の斜面に沿って移動し、連結金具３２ａと補助ガイド６０の間に設けられた隙間２９に嵌ることによって、連結金具３２ａが幅木主材３１に取り付けられることになる。
【０１４２】
次に、連結金具３２ａを幅木の主材３１の端部から取り外すときは、まず、押しボタン２８の頭ではなく、押しボタン２７の頭を主材３１の側面方向に指で押すという操作をして、板バネの付勢力に抗して押しボタン２８を貫通孔３２ｃに嵌合された状態から外し、次いで連結金具３２ａを回動させて幅木の主材３１の端部から離し、その後、押しボタン２７から指を離すと、板バネの付勢力によって板バネ３１ｃの全体が幅木の主材３１と平行になることで、連結金具３２ａが幅木の主材３１の端部から取り外された状態に戻る。
【０１４３】
このように、押しボタンを２個備えた板バネを用いると、端部金具を幅木の主材の端部から取り外すときに、押しボタンを主材の側方から押し込むという操作が不要となるから、好ましい。このことを、押しボタンを１個のみ備えた板バネを用いるときと比較して、押しボタンを２個備えた板バネを用いるときの利点を、以下に説明する。
【０１４４】
図４３は、図３７に示す押しボタン２８を１個だけを設けてなる板バネを用いて、連結金具３２ａを幅木の主材の端部から取り外すときの操作の手順を示したものである。
【０１４５】
図４３(a)は斜め切りされている押しボタン２８の頭を主材３１の側面方向に指２２の腹で押すという操作を開始した状態を示す。次に、図４３(b)はその操作を継続しようとしたが、指２２の腹が連結金具３２ａの縁に当たってしまって、それ以上はその押しボタン２８の頭を主材３１の側面方向に押すことができない状態を示す。そして、図４３(c)はその押しボタン２８の頭を主材３１の側面方向に押し込むために、指２２の先を貫通孔３２ｃの中に突っ込んだ状態を示し、これでやっとその押しボタン２８を貫通孔３２ｃに嵌合された状態から外せるようになる。この後は、連結金具３２ａを回動させて幅木の主材３１の端部から離し、押しボタン２７から指を離すと、板バネの付勢力によって板バネ３１ｃの全体が幅木の主材３１と平行になることで、連結金具３２ａが幅木の主材３１の端部から取り外された状態に戻る。
【０１４６】
ここでは、貫通孔３２ｃの中に指２２の先を突っ込むことによって、連結金具３２ａを幅木の主材３１の端部から取り外すことができたが、作業用の軍手を指に嵌めていると、貫通孔３２ｃの中に指先が入りきらない場合があり、このときには、その都度、軍手を脱いで作業するという手間がかかる。なお、軍手を指に嵌めていても貫通孔３２ｃの中に指２２の先を突っ込めるように、貫通孔３２ｃの孔径を大きくすることが考えられるが、その場合には貫通孔内の押しボタンの移動量が大きくなり、設置後の幅木自体の遊びが大きくなりすぎるという新たな問題が生じるおそれがある。
【０１４７】
このように、押しボタンを１個のみ備えた板バネを用いると、端部金具を幅木の主材の端部から取り外すときは、押しボタンを主材の側方から押し込むという操作が必要となる。
【０１４８】
これに対して、図４４に、図４０の押しボタン２７と頭が斜め切りされた押しボタン２８とを有する板バネを用いて、連結金具３２ａを幅木の主材の端部から取り外すときの操作の手順を示す。
【０１４９】
図４４(a)は、押しボタン２８の頭ではなく、押しボタン２７の頭を主材３１の側面方向に指２２の腹で押すという操作を開始した状態を示す。次に、図４４(b)はその操作を継続する途中の段階であり、指２２の腹が連結金具３２ａの縁に当たることはない。そして、図４４(c)はその操作を継続して、板バネの付勢力に抗して押しボタン２８を貫通孔３２ｃに嵌合された状態から外し、次いで連結金具３２ａを回動させて幅木の主材３１の端部から離した段階である。この後は、押しボタン２７から指を離すと、板バネの付勢力によって板バネ３１ｃの全体が幅木の主材３１と平行になることで、連結金具３２ａが幅木の主材３１の端部から取り外された状態に戻る。
【０１５０】
したがって、押しボタンを２個備えた板バネを用いると、端部金具を幅木の主材の端部から取り外すときに、押しボタンを主材の側方から押し込むという操作が不要となるから、好ましい。
【０１５１】
このように、連結金具３２ａを主材３１に対して回動させることにより、幅木の主材への取り付けおよびその取り外しの作業を容易に行うことができることに加えて、幅木の主材３１の端部への取り付けおよび取り外し作業を容易に行うことができる。もちろん、実施例１に示される幅木を用いる場合と同様に、作業者は、幅木３０の設置および取り外し作業を立ったままの状態でかつ幅木３０の外側に身を乗り出すことなく行うことができる。また、押しボタン２８を操作することにより、連結金具３２ａの上端を主材３１に取り付けることおよび取り外すことができるので、作業者は容易に幅木３０の設置および取り外しを行うことができる。これらの結果、作業者の安全性および作業効率が向上する。また、この幅木３０においては、複数個の落下錠等を設ける必要がないので、コストを低減することができる。
【実施例５】
【０１５２】
実施例５は、実施例１において用いた台形状の補助ガイド６０を、端部金具３２（または連結金具３２ａ）ではなく、幅木主材側に設けた点でのみ異なる。
【０１５３】
図４５は、台形状の補助ガイド６０が幅木主材３１の左端部に接合された一例を示す。(a)は側面図、(b)は正面図、(c)は(b)のＥ−Ｅ矢視断面図を示す。
【０１５４】
幅木主材３１の上端部には、押しボタン２７を有する板バネ３１が幅木主材３１の上端部に固定ピン３１で固定されていて、板バネ全体が幅木主材３１と平行になるように、板バネ３１の力により側方に向けて付勢されている。一方、幅木主材３１の下端部には、貫通孔３１ｂが穿たれている。
【０１５５】
そして、台形状の補助ガイド６０が、たとえば、溶接により幅木主材３１の上端部の近傍に接合されている。
【０１５６】
このような補助ガイド６０を有する幅木主材３１は、端部金具３２（または連結金具３２ａ）を幅木の主材３１の端部に向けて回動させようとする際に、実施例１と同様に、幅木主材の曲がりや、端部金具３２（または連結金具３２ａ）との間の遊びがあっても、幅木主材が端部金具３２（または連結金具３２ａ）に接触する前に補助ガイドの斜面が接触し、その斜面に沿って動くから、スムーズに回動できることになる。
【０１５７】
すなわち、実施例１と同様に、端部金具３２（または連結金具３２ａ）を、補助ガイド６０を接合した幅木主材３１に向けて回動させると、補助ガイド６０の斜面に、端部金具３２（または連結金具３２ａ）の端が当たる。次に、連結金具３２ａをさらに回動させると、端部金具３２（または連結金具３２ａ）の端は補助ガイド６０の斜面に沿って移動することによって、連結金具３２ａが幅木主材３１に取り付けられることになる。
【０１５８】
このように、連結金具３２ａ（または端部金具３２）を幅木の主材３１の端部に向けて回動させて、補助ガイド６０の斜面を当てるという操作をするだけで、連結金具３２ａ（または端部金具３２）を幅木の主材３１の端部にスムーズに取り付けることができる。
【０１５９】
したがって、作業者１５は、端部金具３２（または連結金具３２ａ）を幅木主材３１に対して回動させることにより、幅木３０の設置およびその取り外しを行うことができる。作業者１５は、幅木３０の設置および取り外し作業を立ったままの状態でかつ幅木３０の外側に身を乗り出すことなく行うことができる。また、操作ボタンとしての押しボタン２７を操作することにより、端部金具３２（または連結金具３２ａ）の上端を主材３１に取り付けることおよび取り外すことができるので、作業者１５は容易に幅木３０の設置および取り外しを行うことができる。これらの結果、作業者１５の安全性および作業効率が向上する。また、本発明に係る幅木３０においては、複数個の落下錠等を設ける必要がないので、コストを低減することができる。
【実施例６】
【０１６０】
実施例６は、実施例５におけるのと同様に、補助ガイド６０を端部金具３２（または連結金具３２ａ）ではなく、幅木主材側に設けた点で同じであるが、補助ガイドは幅木主材の幅に匹敵する長さを有する長方形の板状である点が異なる。
【０１６１】
図４６は、長方形の板状の補助ガイド６０が幅木主材３１の左端部に接合された一例を示す。(a)は側面図、(b)は正面図、(c)は(b)のＦ−Ｆ矢視断面図を示す。
【０１６２】
幅木主材３１の上端部には、押しボタン２７を有する板バネ３１が幅木主材３１の上端部に固定ピン３１で固定されていて、板バネ全体が幅木主材３１と平行になるように、板バネ３１の力により側方に向けて付勢されている。一方、幅木主材３１の下端部には、貫通孔３１ｂが穿たれている。
【０１６３】
そして、長方形の板状の補助ガイド６０が、たとえば、溶接により幅木主材３１の左端部全体に幅木主材３１との間に隙間２９を開けた状態で接合されている。
【０１６４】
このような補助ガイド６０を有する幅木主材３１は、端部金具３２（または連結金具３２ａ）を幅木の主材３１の端部に向けて回動させようとする際に、実施例１と同様に、幅木主材の曲がりや、端部金具３２（または連結金具３２ａ）との間の遊びがあっても、端部金具３２（または連結金具３２ａ）の縁がこの隙間２９に嵌るから、スムーズに回動できることになる。
【０１６５】
すなわち、実施例１と同様に、端部金具３２（または連結金具３２ａ）を、補助ガイド６０を接合した幅木主材３１に向けて回動させると、端部金具３２（または連結金具３２ａ）の縁がこの隙間２９に嵌ることによって、連結金具３２ａが幅木主材３１に取り付けられることになる。
【０１６６】
このように、連結金具３２ａ（または端部金具３２）を幅木の主材３１の端部に向けて回動させて、端部金具３２（または連結金具３２ａ）の縁をこの隙間２９に嵌めるという操作をするだけで、連結金具３２ａ（または端部金具３２）を幅木の主材３１の端部にスムーズに取り付けることができる。
【０１６７】
したがって、作業者１５は、端部金具３２（または連結金具３２ａ）を幅木主材３１に対して回動させることにより、幅木３０の設置およびその取り外しを行うことができる。作業者１５は、幅木３０の設置および取り外し作業を立ったままの状態でかつ幅木３０の外側に身を乗り出すことなく行うことができる。また、操作ボタンとしての押しボタン２７を操作することにより、端部金具３２（または連結金具３２ａ）の上端を主材３１に取り付けることおよび取り外すことができるので、作業者１５は容易に幅木３０の設置および取り外しを行うことができる。これらの結果、作業者１５の安全性および作業効率が向上する。また、本発明に係る幅木３０においては、複数個の落下錠等を設ける必要がないので、コストを低減することができる。
【実施例７】
【０１６８】
実施例７は、端部金具３２（または連結金具３２ａ）内に台形状の補助ガイド６０を接合する点は実施例１と変わりなく、床付き布枠１１側に向かって突出する板状の突出材３７を有する点でのみ異なる。
【０１６９】
したがって、実施例１と同様に、補助ガイド６０を隙間２９を持たせて接合した連結金具３２ａを幅木の主材３１の端部に向けて回動させると、補助ガイド６０の斜面に幅木主材３１の端が当たる。次に、連結金具３２ａをさらに回動させると、幅木主材３１の端は補助ガイド６０の斜面に沿って移動し、連結金具３２ａと補助ガイド６０の間に設けられた隙間２９に嵌ることによって、連結金具３２ａが幅木主材３１に取り付けられることになる。よって、連結金具３２ａ（または端部金具３２）を幅木の主材３１の端部に向けて回動させて、幅木主材３１の端に補助ガイド６０の斜面を当てるという操作をするだけで、連結金具３２ａ（または端部金具３２）を幅木の主材３１の端部にスムーズに取り付けることができる。
【０１７０】
図４７は、実施例５で用いる幅木が設置された枠組み足場を示す斜視図であり、図４８は、図４７のＡ−Ａ線拡大断面図である。
【０１７１】
図４８に示すように、この幅木３６は、床付き布枠１１側に向かって突出する板状の突出材３７を有し、突出材３７の一端部は主材３１の下端に溶接またはボルト・ナット等により固定され、他端部は床付き布枠１１上に載置されている。
【０１７２】
この幅木３６を用いる場合、作業者１５は、床付き布枠１１だけでなく突出材３７も足場として利用することができる。すなわち、この幅木３６を用いることにより作業者１５の足場を拡大することができる。それにより、作業者の作業効率を向上させることができる。
【０１７３】
もちろん、実施例１と同様に、作業者１５は、端部金具３２（または連結金具３２ａ）を幅木主材３１に対して回動させることにより、幅木３０の設置およびその取り外しを行うことができる。作業者１５は、幅木３０の設置および取り外し作業を立ったままの状態でかつ幅木３０の外側に身を乗り出すことなく行うことができる。また、操作ボタンとしての押しボタン２７を操作することにより、端部金具３２（または連結金具３２ａ）の上端を主材３１に取り付けることおよび取り外すことができるので、作業者１５は容易に幅木３０の設置および取り外しを行うことができる。これらの結果、作業者１５の安全性および作業効率が向上する。また、本発明に係る幅木３０においては、複数個の落下錠等を設ける必要がないので、コストを低減することができる。
【実施例８】
【０１７４】
上述した実施例１〜７では、操作ボタンとしての押しボタン２７（図２６および図２８参照）が幅木３０の正面側（床付き布枠１１からなる通路側とは反対側）に設けられているが、押しボタン２７が幅木３０の背面側に設けられてもよい。
【０１７５】
また、上記の例では、端部金具３２（または連結金具３２ａ）のみが主材３１に対して回動可能な構成になっているが、端部金具３３（または連結金具３３ａ）も主材３１に対して回動可能な構成にしてもよい。
【０１７６】
また、実施例１〜７では、屈曲部３１ａ（図２４および図２５参照）が幅木３０の正面側（床付き布枠１１からなる通路側とは反対側）に形成されているが、屈曲部３１ａが幅木３０の背面側（床付き布枠１１からなる通路側）に形成されていてもよい。
【０１７７】
また実施例１〜７では、主材３１の一端部の上部に操作ボタンとしての押しボタン２７（図２４および図２５参照）が設けられているが、主材３１の一端部の下部に押しボタン２７が設けられてもよい。すなわち、端部金具３２（または連結金具３２ａ）の上端が主材３１の一端部の上部にボルト３４およびナット３５によって回動可能に取り付けられ、端部金具３２（または連結金具３２ａ）の下端が押しボタン２７によって主材３１の一端部の下部に取り付けられてもよい。端部金具３２（または連結金具３２ａ）の上端が主材３１の一端部の上部に回動可能に取り付けられる場合には、端部金具３２（または連結金具３２ａ）の下端側が主材３１側に回動できる構成にすることが好ましい。この場合、連結金具３２ａの下端側を主材３１側に回動させることにより、横桟３（図２４参照）から突出部３２ｄ（図２４参照）を容易に離間させることができる。それにより、幅木３０を容易に取り外すことができる。
【０１７８】
また、実施例１〜７では、端部金具３３（または連結金具３３ａ）（図１１参照）はボルト３４（図１１参照）およびナット３５（図１１参照）によって主材３１（図１１参照）に取り付けられているが、溶接等の他の方法によって端部金具３３（または連結金具３３ａ）が主材３１に取り付けられてもよい。
【０１７９】
また、実施例１〜７では、端部金具３２（または連結金具３２ａ）と端部金具３３（または連結金具３３ａ）のそれぞれに、１つの突出部３２ｄ，３３ｄ（図２３）を有しているが、端部金具３２（または連結金具３２ａ）と端部金具３３（または連結金具３３ａ）のの形状は上記の例に限定されない。
【０１８０】
図４９は、連結金具３２ａ、３３ａの他の例を示す正面図である。なお、図４９(a)は連結金具３２ａを示し、図４９(b)は連結金具３３ａを示す。
【０１８１】
図４９に示す連結金具３２ａ、３３ａが図２３に示す連結金具３２ａ、３３ａと異なるのは以下の点である。すなわち、この連結金具３２ａ、３３ａは、係止金具３２ｂ，３３ｂの下端において側方に突出しかつ略円弧状に湾曲する突出部３２ｆ，３３ｆを有している。このような端部金具３２、３３（または連結金具３２ａ、３３ａ）を用いる場合、突出部３２ｆ，３３ｆが横桟３（図２０参照）の上面側に係止されるので、幅木３０の安定性を十分に向上させることができる。
【０１８２】
また、実施例１〜７では、端部金具３２において、連結金具３２ａおよび係止金具３２ｂが別個の部材として構成されていたが、これらに限定されない。図５０は、さらに他の例を示す図である。なお、図５０において、(a)は端部金具３２の平面図であり、(b)は正面図である。図５０に示す端部金具３２においては、連結金具３２ａおよび係止金具３２ｂが一体形成されている。このように連結金具３２ａおよび係止金具３２ｂを一体形成することにより、端部金具３２の強度を向上させることができる。なお、端部金具３３においても連結金具３３ａおよび係止金具３３ｂを一体形成してもよい。
【０１８３】
また、連結金具３２ａの形状は上記の例に限定されず、図５１に示すように、連結金具３２ａが上部と下部に分割された構成でもよい。同様に、連結金具３３ａも上部と下部に分割された構成でもよい。
【０１８４】
また、係止金具３２ｂの形状は上記の例に限定されず、突出部３２ｄが形成されていればよく、例えば、図５２に示すように、係止金具３２ｂの上下方向の長さが連結金具３２ａよりも短くてもよい。同様に、係止金具３３ｂの上下方向の長さが連結金具３３ａよりも短くてもよい。また、係止金具３２ｂの上下方向の長さを短くする場合、図５３に示すように、係止金具３２ｂの上端に隙間隠し材３８を取り付けてもよい。同様に、係止金具３３ｂにも隙間隠し材を取り付けてもよい。
【０１８５】
また、上記の例では、連結金具３２ａ（図２４参照）の上端は、板バネ３１ｃ（図２５参照）および押しボタン２７（図２５参照）によって主材３１（図２４参照）の上部に取り付けられているが、連結金具３２ａの上端を主材３１に取り付けるための構成は上記の例に限定されない。図５４および図５５は、連結金具３２ａの上端を主材３１の上部に取り付けるための構成の他の例を示す平面図である。図５４に示す例では、結部３２ａの上端は、取り外し機能を有する操作部としての略Ｌ字状のピン３９によって主材３１の上部に取り付けられている。この場合、作業者１５は、ピン３９を抜くことにより、連結金具３２ａの上端を主材３１の上部から容易に取り外すことができる。
【０１８６】
また、図５５に示す例では、連結金具３２ａの上端は、ボルト４０およびナット４１によって主材３１の上部に取り付けられている。この場合、作業者１５は、取り外し機能を有する操作部としてのボルト４０およびナット４１を取り外すことにより、連結金具３２ａの上端を主材３１の上部から容易に取り外すことができる。
【０１８７】
また、連結金具３２ａ，３３ａが設けられていなくてもよい。この場合、係止金具３２ｂ，３３ｂに貫通孔３２ｃ，３３ｃ（図２３参照）を形成し、係止金具３２ｂ，３３ｂを幅木３０に直接取り付ければよい。
【０１８８】
また、実施例７においては、主材３１の下部に突出材３７（図４８参照）を設けた場合について説明したが、突出材３７の形状は上記の例に限定されない。図５６〜図５８は、突出材３７の他の例を示す側面図である。図５６に示す例では、略三角形状に折れ曲がった板状の突出材３７が主材３１の下部に固定されている。図５７に示す例では、略Ｌ字状の突出材３７が主材３１の下部に固定されている。また、図５８に示す例では、突出材３７は、保持部材４２を介して主材３１の下部に回動可能に取り付けられている。この場合、幅木３０を運搬または倉庫等に収納する際に、突出材３７を主材３１側に回動させることにより、幅木３０をコンパクトにまとめることができる。それにより、幅木３０の運搬効率および収納効率を向上させることができる。
【０１８９】
また、突出材３７を設ける代わりに、図５９〜図６２（主材３１の側面図）に示すように、主材３１の下部に突出部４３を形成してもよい。
【０１９０】
また、上記においては、鳥居枠を有する枠組足場に幅木３０，３６を用いた場合について説明したが、Ｈ枠を有する枠組足場に幅木３０，３６を用いてもよい。
【０１９１】
また、上記においては、建枠式足場に幅木３０，３６を設置する場合について説明したが、緊結式足場に幅木３０，３６を設置してもよい。なお、緊結式足場に設置される場合には、幅木３０，３６は端部金具を介して腕木材に固定される。
【産業上の利用可能性】
【０１９２】
本発明によれば、枠組足場における作業者１５の安全性および作業効率の向上ならびに枠組足場のコスト低減を可能にする。
【符号の説明】
【０１９３】
１  Ｈ枠
２  縦柱
３  横桟
４  鳥居枠
６ｂ  ロック金具
７ａ  ロック金具
７ｂ  ロック金具
８ａ  ロック金具
８ｂ  ロック金具
１０  手摺枠
１１  床付き布枠
１３  筋違
１４  建物
１５  作業者
１６  幅木
１６ａ  主材
１６ｂ  屈曲部
１７  物体
１８  端部金具
１９  固定プレート
１９ａ  湾曲部
２０  ボルト
２１  落下錠
２２  指
２４  掴み金具
２６  固定孔
２７  押しボタン（ピン）
２８  頭が斜め切りされた押しボタン
２９  隙間
３０  幅木
３１  主材
３１ａ  屈曲部
３１ｂ  貫通孔
３１ｃ  板バネ
３１ｄ  固定ピン
３１ｆ  第２の貫通孔
３２  端部金具
３２ａ  連結金具
３２ｂ  係止金具
３２ｃ  貫通孔
３２ｄ  突出部
３２ｅ  湾曲部
３２ｆ  突出部
３３  端部金具
３３ａ  連結金具
３３ｂ  係止金具
３３ｃ  貫通孔
３３ｄ  突出部
３３ｅ  湾曲部
３３ｆ  突出部
３４  ボルト
３５  ナット
３６  幅木
３７  突出材
３８  隙間隠し材
３９  ピン
４０  ボルト
４１  ナット
４２  保持部材
４３  突出部
５０  支柱
５１  コマ
５２  支柱部材
５３  ブレース材
５４  作業用手摺
５５  腕木材
６０  補助ガイド
【図１】
0005579423.tif 000002
【図２】
0005579423.tif 000003
【図３】
0005579423.tif 000004
【図４】
0005579423.tif 000005
【図５】
0005579423.tif 000006
【図６】
0005579423.tif 000007
【図７】
0005579423.tif 000008
【図８】
0005579423.tif 000009
【図９】
0005579423.tif 000010
【図１０】
0005579423.tif 000011
【図１１】
0005579423.tif 000012
【図１２】
0005579423.tif 000013
【図１３】
0005579423.tif 000014
【図１４】
0005579423.tif 000015
【図１５】
0005579423.tif 000016
【図１６】
0005579423.tif 000017
【図１７】
0005579423.tif 000018
【図１８】
0005579423.tif 000019
【図１９】
0005579423.tif 000020
【図２０】
0005579423.tif 000021
【図２１】
0005579423.tif 000022
【図２２】
0005579423.tif 000023
【図２３】
0005579423.tif 000024
【図２４】
0005579423.tif 000025
【図２５】
0005579423.tif 000026
【図２６】
0005579423.tif 000027
【図２７】
0005579423.tif 000028
【図２８】
0005579423.tif 000029
【図２９】
0005579423.tif 000030
【図３０】
0005579423.tif 000031
【図３１】
0005579423.tif 000032
【図３２】
0005579423.tif 000033
【図３３】
0005579423.tif 000034
【図３４】
0005579423.tif 000035
【図３５】
0005579423.tif 000036
【図３６】
0005579423.tif 000037
【図３７】
0005579423.tif 000038
【図３８】
0005579423.tif 000039
【図３９】
0005579423.tif 000040
【図４０】
0005579423.tif 000041
【図４１】
0005579423.tif 000042
【図４２】
0005579423.tif 000043
【図４３】
0005579423.tif 000044
【図４４】
0005579423.tif 000045
【図４５】
0005579423.tif 000046
【図４６】
0005579423.tif 000047
【図４７】
0005579423.tif 000048
【図４８】
0005579423.tif 000049
【図４９】
0005579423.tif 000050
【図５０】
0005579423.tif 000051
【図５１】
0005579423.tif 000052
【図５２】
0005579423.tif 000053
【図５３】
0005579423.tif 000054
【図５４】
0005579423.tif 000055
【図５５】
0005579423.tif 000056
【図５６】
0005579423.tif 000057
【図５７】
0005579423.tif 000058
【図５８】
0005579423.tif 000059
【図５９】
0005579423.tif 000060
【図６０】
0005579423.tif 000061
【図６１】
0005579423.tif 000062
【図６２】
0005579423.tif 000063